(57)【特許請求の範囲】
【請求項１】
印鑑（２）を内装された内スリーブ（３）と、内スリーブ（３）の外周に軸方向に摺動できるように配設されたグリップスリーブ（４）と、印肉ケース（５）を支持し、該ケース（５）を、印鑑（２）の印面（６）に当接する作用位置（Ｘ）と印面（６）から離間した退避位置（Ｙ）との２位置にカム溝とカム軸とにより回動させることができると共に、内スリーブ（３）とグリップスリーブ（４）との間で軸方向に相対摺動できる基台ケース（７）とを具備し、静止姿勢においては、内スリーブ（３）の上端部（８）の外面（９）と、グリップスリーブ（４）の上端部（１０）の内面（１１）との間に、グリップスリーブ（４）の上端部（１０）の内面（１１）の上下動空間（ＨＡ）が形成されており、内スリーブ（３）の上端部（８）の頂部外周にはバネ押さえフランジ（１４）が形成され、該バネ押さえフランジ（１４）の下方であって且つ半径方向についてグリップスリーブ（４）と内スリーブ（３）の上端部（８）との間に第１のバネ受けスリーブ（１７）が配設され、第１のバネ受けスリーブ（１７）は上向きバネ受座（１５）と下向きバネ受座（１６）とを有しており、第１のバネ受けスリーブ（１７）の上向きバネ受座（１５）とバネ押さえフランジ（１４）との間に第１のコイルバネ（１３）が縮設され、該第１のバネ受けスリーブ（１７）の下向きバネ受座（１６）と基台ケース（７）の上端に配置された第２のバネ受座（１９）との間に第２のコイルバネ（２０）が配設されており、印肉ケース（５）が作用位置（Ｘ）にある静止姿勢においては、前記第１のバネ受けスリーブ（１７）に作用する前記第２のコイルバネ（２０）の押圧弾性により、前記第１のコイルバネ（１３）が圧縮されており、印肉ケース（５）が退避位置（Ｙ）にあるとき、グリップスリーブ（４）の前記上下動空間（ＨＡ）内での下動により、前記第１のコイルバネ（１３）は伸長され、前記第２のコイルバネ（２０）は圧縮されることを特徴とする印鑑ケース。
【請求項２】
印鑑ケース（１）の静止姿勢において、内スリーブ（３）の外周面の、前記第２のバネ受座（１９）に当接する第２のコイルバネ（２０）のバネ端部（２３、２４）に対応する部位に、該バネ端部（２３、２４）を嵌入させうる縦断面略半円弧状の凹陥部（２１、２２）が周方向に凹設されている請求項１記載の印鑑ケース。
【請求項３】
印鑑（２）の印面（６）の上下位置を調節する調節ネジ（１８）の操作部が、内スリーブ（３）の上端部外面（９）とグリップスリーブ（４）の上端部内面（１１）との間の上下動空間（ＨＡ）に臨んで配置されている請求項１または請求項２の何れかに記載の印鑑ケース。
【請求項４】
印肉ケース（５）を作用位置（Ｘ）と退避位置（Ｙ）とに導くカム溝が基台ケース（７）とグリップスリーブ（４）とに連通して開設され、グリップスリーブ（４）のカム溝（４０、４１）は該スリーブ（４）の外側面の凹陥面部（４２、４３）内に開口され、該凹陥面部（４２、４３）は掩蔽板（４４）で被覆されている請求項１〜請求項３の何れか１項に記載の印鑑ケース。
【請求項５】
第１のコイルバネ（５５）と第２のコイルバネ（５９）とが、一連一体に成形されている一体バネである請求項１〜請求項４の何れか１項記載の印鑑ケース。
【発明の詳細な説明】
【０００１】
【発明の属する技術分野】
本発明は、印肉ケースと印鑑とを内蔵し、把持部を手指で把持して押捺部位に押し付けるのみで、数千回に近い捺印が可能な印鑑ケースの改良に関する。
【０００２】
【従来の技術】
この種の印鑑ケースとしては、例えば特開平１０−２５０２０７号公報に開示されるものが知られているが、数千回という捺印の繰り返しによる内蔵コイルバネのへたりによる捺印不良とか、印面と紙面との当接直前のクリック感が得られない問題、或は印面と紙面との当接位置の調節部分が異物との接触で不測の変位を生じたり、或はこの部分や印肉ケースの回動カム機構等への粉塵の浸入、異物との当接等に起因する作動不良等の発生の可能性等の問題が未解決の問題として残されている。
【０００３】
【発明が解決しようとする課題】
前記従来技術で未解決とされている問題点に鑑み、本発明は、印鑑ケース内に配置されている２種のコイルバネに、同時にへたり現象が生ずることが無いのみでなく、使用時において、捺印直前のクリック感により捺印の始期を感得させることができ、また各部に粉塵の浸入や異物との接触による作動不良の発生の恐れが無く、しかも外観が良好で比較的廉価に提供できる印鑑ケースを提供することを課題としている。
【０００４】
【課題を解決するための手段】
前記課題を解決するため、請求項１の発明では、印鑑ケース（１）を、印鑑（２）を内装された内スリーブ（３）と、内スリーブ（３）の外周に軸方向に摺動できるように配設されたグリップスリーブ（４）と、印肉ケース（５）を支持し、該ケース（５）を、印鑑（２）の印面（６）に当接する作用位置（Ｘ）と印面（６）から離間した退避位置（Ｙ）との２位置にカム溝とカム軸とにより回動させることができると共に、内スリーブ（３）とグリップスリーブ（４）との間で軸方向に相対摺動できる基台ケース（７）とを具備し、静止姿勢においては、内スリーブ（３）の上端部（８）の外面（９）と、グリップスリーブ（４）の上端部（１０）の内面（１１）との間に、グリップスリーブ（４）の上端部（１０）の内面（１１）の上下動空間（ＨＡ）が形成されており、内スリーブ（３）の上端部（８）の頂部外周にはバネ押さえフランジ（１４）が形成され、該バネ押さえフランジ（１４）の下方であって且つ半径方向についてグリップスリーブ（４）と内スリーブ（３）の上端部（８）との間に第１のバネ受けスリーブ（１７）が配設され、第１のバネ受けスリーブ（１７）は上向きバネ受座（１５）と下向きバネ受座（１６）とを有しており、第１のバネ受けスリーブ（１７）の上向きバネ受座（１５）とバネ押さえフランジ（１４）との間に第１のコイルバネ（１３）が縮設され、該第１のバネ受けスリーブ（１７）の下向きバネ受座（１６）と基台ケース（７）の上端に配置された第２のバネ受座（１９）との間に第２のコイルバネ（２０）が配設されており、印肉ケース（５）が作用位置（Ｘ）にある静止姿勢においては、前記第１のバネ受けスリーブ（１７）に作用する前記第２のコイルバネ（２０）の押圧弾性により、前記第１のコイルバネ（１３）が圧縮されており、印肉ケース（５）が退避位置（Ｙ）にあるとき、グリップスリーブ（４）の前記上下動空間（ＨＡ）内での下動により、前記第１のコイルバネ（１３）は伸長され、前記第２のコイルバネ（２０）は圧縮されるという構成とした。
【０００５】
請求項２の発明では、請求項１の発明に、印鑑ケース（１）の静止姿勢において、内スリーブ（３）の外周面の、前記第２のバネ受座（１９）に当接する第２のコイルバネ（２０）のバネ端部（２３、２４）に対応する部位に、該バネ端部（２３、２４）を嵌入させうる縦断面略半円弧状の凹陥部（２１、２２）が周方向に凹設されている、という構成を付加した。
【０００６】
請求項３の発明では、請求項１または請求項２の何れかの発明に、印鑑（２）の印面（６）の上下位置を調節する調節ネジ（１８）の操作部が、内スリーブ（３）の上端部外面（９）とグリップスリーブ（４）の上端部内面（１１）との間の上下動空間（ＨＡ）に臨んで配置されている、という構成を付加した。
【０００７】
請求項４の発明では、請求項１〜請求項３の何れか１項の発明に印肉ケース（５）を作用位置（Ｘ）と退避位置（Ｙ）とに導くカム溝が基台ケース（７）とグリップスリーブ（４）とに連通して開設され、グリップスリーブ（４）のカム溝（４０、４１）は該スリーブ（４）の外側面の凹陥面部（４２、４３）内に開口され、該凹陥面部（４２、４３）は掩蔽板（４４）で被覆されている、という構成を付加した。
【０００８】
請求項５の発明は、請求項１〜請求項４の何れか１項の発明に、第１のコイルバネ（５５）と第２のコイルバネ（５９）とが、一連一体に成形されている一体バネである、という構成を付加した。
【０００９】
【発明の実施の形態】
図１ないし図６は、請求項１ないし請求項４の各発明を併せ適用した実施の一例を示しており、図１は静止姿勢の拡大正面図であり、図２ないし図６は図１中Ａ−Ａ線断面の矢視側面図であって、印鑑ケースの静止姿勢から捺印完了までの各プロセスにおける各部材の代表的変位状態を示している。
【００１０】
各図に示されるごとく、印鑑ケース１は、印鑑２を内装された内スリーブ３と、内スリーブ３の外周に配設され、軸方向に摺動できるグリップスリーブ４と、印肉ケース５を支持し、該印肉ケース５を、図２に示すごとく印鑑２の印面６に当接する作用位置Ｘと、図５、図６に示すごとく印面６から離間した退避位置Ｙとの２位置間をカム溝とカム軸とにより回動させることができると共に、内スリーブ３と、グリップスリーブ４との間で軸方向に相対摺動でき、かつ前記カム機構でグリップスリーブ４と一体的に連動連結された基台ケース７とを主要構成部材としている。なお構造を明示するため、印鑑２は輪郭のみを波線で表示してある。
【００１１】
図２に示される静止姿勢においては、内スリーブ３の上端部８の外面９とグリップスリーブ４の上端部１０の内面１１との間に、高さＨの、グリップスリーブ４の上端部１０の内面１１の上下動空間ＨＡが形成されている。
【００１２】
前記内スリーブ３の上端部８には、ネジ筒１２が嵌着固定されており、該上端部８の頂部外周には、第１のコイルバネ１３のバネ押えフランジ１４が形成され、また内スリーブ３の上端部８には、グリップスリーブ４との間に上向きバネ受座１５と下向きバネ受座１６とを有する第１のバネ受けスリーブ１７が嵌着され、前記第１のコイルバネ１３は、前記バネ押えフランジ１４と前記上向きバネ受座１５との間に縮設されている。
【００１３】
また前記ネジ筒１２の内孔のネジ部には、上端部８を上下に貫通して調節ネジ１８が螺合され、その下端は印鑑２の頂部に当接され、該調節ネジ１８のネジ込み量により、印鑑２を下方に下げることにより印面６の位置を上下に調節できる。
【００１４】
前記第１のバネ受けスリーブ１７の下向きバネ座１６は、グリップスリーブ４の下方部、図示例では、基台ケース７の上端縁により、定位された第２のバネ受座１９との間に縮設された第２のコイルバネ２０を受支している。
【００１５】
図２に示されるごとく、印鑑ケース１が静止姿勢におかれ、第２のコイルバネ２０が第２のバネ受座１９に受支されている際の、該バネ受座１９のバネ受部に対応する内スリーブ３の周面には、対称位置に、周方向に走る断面半円弧状の凹所２１、２２が凹設され、図７、図８に示すごとく、第２のコイルバネ２０の下端に形成された直線部２３、２４を嵌入させ、受止している。この凹所２１、２２は、後述するごとくグリップスリーブ４が下動されるとき、第２のコイルバネ２０の前記直線部２３、２４が凹所２１、２２から外れる際の振動を、グリップスリーブ４から手指へクリック感として伝える。
【００１６】
図９、図１０及び図１１は、基台ケース７を示しており図１２、図１３及び図１４は、基台ケース７内に組み付けられ、印肉ケース５が固定されるスイングアーム２５を示し、図１５、図１６、図１７及び図１８は、基台ケース７に組み付けられたスイングアーム２５が組み付けられるグリップスリーブ４のカム機構部のみを示している。
【００１７】
前記基台ケース７には、側板３２、３３の内側面に、後述するスイングアーム２５の左右両側板２６、２７に開設された長孔２８、２９に嵌入し、スイングアーム２５を回動並びに変位自在に支承する短支軸３０、３１が形成されており、また該側板３２、３３には、基台ケース７の正面側から視て、短支軸３０、３１の後方位の円弧溝３４から、概ね基台ケースの側板３２、３３の中心線に沿って上方の延出する直線溝３６とで構成されるカム溝３７が形成されている。
【００１８】
前記スイングアーム２５の両側板２６、２７の頂部には外側へ突出するカム軸３８、３９が形成されており、このカム軸３８、３９は、基台ケース７の側板３２、３３に形成されている前記カム溝３７に摺動自在に嵌入される。
【００１９】
前記カム軸３８、３９は基台ケース７の側板３２、３３のカム溝３７を通って外側方へ突出し、図１５、図１６及び図１７に示されるごとく、グリップスリーブ４の下部に貫設されたカム溝４０、４１内へ挿入されている。このカム溝４０、４１は、基台ケース７のカム溝３７とほぼ同一形状とされている。
【００２０】
グリップスリーブ４のカム溝４０、４１の形成部位の外面には、凹陥面部４２、４３が形成されており、この凹陥面部４２、４３には、図１８に示す掩蔽板４４が嵌入され、カム溝４０、４１及びカム軸３８、３９を掩蔽している。従って、カム軸３８、３９の外端は、凹陥面部４２、４３と面一になる寸法とされており、また該凹陥面部４２、４３には、図１８に示される掩蔽板４４の裏面に突設された小突起４５群を貫入させる小孔群４６が形成されている。
【００２１】
印肉ケース５は図１２、図１３及び図１４に示したスイングアーム２５の底板４７と両側板２６、２７との間に挿入され、両側板２６、２７の内面の小突起４８、４９と両側板２６、２７を幅方向に形成された突条５０、５１とにより挟圧、支持されている。
【００２２】
前記グリップスリーブ４の頭部には、キャップ５２が装脱自在に嵌着されている。
【００２３】
図１９は第２の実施例の縦断正面図であって第１のバネ受けスリーブ５３と第２のバネ受座５４との構造並びに第１のコイルバネ５５の構造が相違するほかは、概ね図１ないし図１８に示す第１の実施例と同一構造である。
【００２４】
第２の実施例では、上向きバネ受座５６と下向きバネ受座５７とが第１のバネ受けスリーブ５３のフランジ部５８の上面と下面とに形成され、上下方向の間隔が短く設定されている。
【００２５】
この結果として、第１のコイルバネ５５が、第２のコイルバネ５９の端部６０から延設されたバネ線材６１により、第２のコイルバネ５９と連続一体に成形された構造とされ、第１、第２の両コイルバネの製造工程、組み付け工数の節減が図れ、大幅なコストダウンを図りうる構造となっている。
【００２６】
前記第１の実施例における第２のバネ受座１９は基台ケース７の筒壁上端をバネ受座として使用しているが、図１９に示す第２の実施例では、基台ケース６２の筒壁上端に着座し、適宜構造で固定された短筒状構造体のバネ受座５４とされた点で構造を異にしている。この構造によれば、印鑑ケースのハードな使用に耐えうる材質のものの選定が可能となり、印鑑ケースの耐用期間の延長が可能となる。なお、図１９において符号６３は、内スリーブ６４内に挿入された印鑑６５の押えスプリングである。
【００２７】
本発明の印鑑ケース１は、図１及び図２に示される状態のものを手指で握りグリップスリーブ４を高さＨだけ押し下げると、図３に示されるごとく、第１のバネ受けスリーブ１７がグリップスリーブ４と共に下動し、第１のコイルバネ１３が縮設状態を解かれ、自由状態に伸長する。
更にグリップスリーブ４を押し下げると、該スリーブ４の上部内面の段部４Ａが内スリーブ３の肩段部３Ａに当接し、第２のコイルバネ２０を圧縮させながら内スリーブ３がグリップスリーブ４と共に下動する。この段階で第２のコイルバネ２０が内スリーブ３の外周面の凹所２１、２２から外れる際の振動がクリック感として手指に伝えられ、捺印行程に移行することを操作者に感得させる。
【００２８】
グリップスリーブ４の下動により、スイングアーム２５のカム軸３８、３９は、カム溝３７の当初嵌入していた円弧溝３４、３５の円弧に導かれて図４に示されるごとく回動変位し、、スイングアーム２５の長孔２８、２９は、基台ケース７の短支軸３０、３１まわりに回動、変位する。
【００２９】
グリップスリーブ４の下動を進めると、カム溝４０、４１の円弧溝３４、３５に導かれてスイングアーム２５は図５に示すごとく略水平位置、即ち印肉ケース２５が非作用位置Ｙを占める位置に回動する。
【００３０】
更にグリップスリーブ４を下動させると、図６に示されるごとく、第２のコイルバネ２０は圧縮され、スイングアーム２５のカム軸３８、３９は、グリップスリーブ４のカム溝４０、４１の直線溝３６に進み、グリップスリーブ４と内スリーブ３とは、印鑑２の印面６が押印面に当接するまで下動し、押印が完結する。
【００３１】
押印完了後、グリップスリーブ４を把持したまま印鑑ケース１を、押印部分から離すと、各部材は、捺印のための各行程を逆に辿って、図１、図２に示す位置に戻るが、その過程で、図４に示す状態となると、自由状態に伸長している第１のコイルバネ１３の反発力がグリップスリーブ４の後退を阻止する作用を生ずるので、第２のコイルバネ２０が第１のバネ受スリーブ１７を介して第１のコイルバネ１３を図２に示す縮設状態に戻すよう作用し、第２のコイルバネ２０の反発力の一部がこの作用のために消尽され、残余の反発力で印肉ケース５の朱肉が印鑑２の印面に当接することとなる。
【００３２】
【発明の効果】
請求項１の発明によると、グリップスリーブと印鑑を内装された内スリーブとの間に第２のコイルバネが配設されているので、捺印時の印鑑の作動感を手指で直接感得することができ、印鑑ケースの使用感を良好としうる効果を奏する。
【００３３】
また第１のコイルバネと第２のコイルバネとは、捺印時と復帰時とにおいて伸長と圧縮という互に逆の指動を行うので、バネのへたりが同時に発生することは無く、何れか一方のコイルバネにへたりが発生した場合でも、残りのコイルバネの反発力により、繰り返して捺印しうる効果を奏する。
【００３４】
更に、第２のコイルバネは、捺印後の復帰作動時に、その反発力の一部によって、第１のコイルバネをその反発力に抗して圧縮させるので、印肉ケースの朱肉を印鑑の印面に弾接させる反発力は、前記第１のコイルバネを圧縮させるのに要した反発力だけ弱くなり、不必要に強い力での印面との当接による朱肉のへたりを防止でき、その圧接力も第１のコイルバネの反発力の大小により所望値に設定できる等の効果を奏する。
【００３５】
請求項２の発明によると、内スリーブに形成されている縦断面略半円弧状の凹陥部から第２のコイルバネの線材が抜け出す際の振動がグリップスリーブを把持する手指に伝わることにより、捺印行程に入ったことをシヤリ感として使用者に感得させうる効果を奏する。
【００３６】
請求項３の発明によると、印鑑の印面の上下位置は、内スリーブの上端部外面とグリップスリーブの上端部内面とでガードされた空間内での調節ねじの上下動により、グリップスリーブを内スリーブとの間の上下動空間だけ押し下げ、或は上動させたときのみ調整できるので、捺印操作等の際、手指等に触れ、印面の上下位置が不測に変化するのを防止できる効果を奏する。
【００３７】
請求項４の発明によると、印肉ケースを作用位置と退避位置とに導くカム溝の開設されているグリップスリーブの凹陥面部が掩蔽板で被覆されているので、印鑑ケースの保管時、使用持等に、塵埃等がカム機構部分から印鑑ケース内部に入り作動不良を生ずるのではないか等の危惧感を払拭でき、また外観も佳良としうる等の効果を奏する。
【００３８】
請求項５の発明によると、第１のコイルバネと第２のコイルバネとが、同一のバネ線材で連続した一体物に成形されているので、第１、第２の両コイルバネの製造工程、組み付け工数等の節減が図れ、コストを低くしうるのみでなく、バネ持性の安定化も容易に達成できる等の効果を奏する。
【図面の簡単な説明】
【図１】第１の実施例たる印鑑ケースの正面図である。
【図２】図１中Ａ−Ａ線における側断面図である。
【図３】図２に示すものの操作初期を示す側断面図である。
【図４】図３に示すものの次の操作段階を示す側断面図である。
【図５】図４に示すものの押印直前の操作段階を示す側断面図である。
【図６】捺印状態を示す側断面図である。
【図７】第１のコイルバネの拡大側面図である。
【図８】図７に示すものの左端面図である。
【図９】図１に示される印鑑ケースの基台ケースの拡大正面図である。
【図１０】図９中Ｂ−Ｂ線切断端面図である。
【図１１】図９に示すものの右側面図である。
【図１２】図１に示される印鑑ケースのスイングアームの拡大正面図である。
【図１３】図１２中Ｃ−Ｃ線断面図である。
【図１４】図１２に示すものの右側面図である。
【図１５】図１に示される印鑑ケースのグリップスリーブの下部の拡大右側面図である。
【図１６】図１５に示すものの縦断側面図である。
【図１７】図１５中Ｄ−Ｄ線縦断面図である。
【図１８】図１５に示される凹陥面部４２に取り付けられる掩蔽板の正面図である。
【図１９】第２の実施例たる印鑑ケースの縦断正面図である。
【符号の説明】
１  印鑑ケース
２  印鑑
３  内スリーブ
５  印肉ケース
６  印面
７  基台ケース
８  内スリーブ３の上端部
９  上端部８の外面
１０  グリップスリーブ４の上端部
１１  上端部１０の内面
１３  第１のコイルバネ
１５  上向きバネ座
１６  下向きバネ座
１７  第１のバネ受けスリーブ
１８  調節ネジ
１９  第２のバネ受座
２０  第２のコイルバネ
３４、３５  円弧溝
３６  直線溝
３７  カム溝
３８、３９  カム軸
４０、４１  グリップスリーブ４のカム溝
４２、４３  凹陥面部
４４  掩蔽板
５５  第１のコイルバネ
５９  第２のコイルバネ
【図１】
0003626135.tif 000002
【図２】
0003626135.tif 000003
【図３】
0003626135.tif 000004
【図４】
0003626135.tif 000005
【図５】
0003626135.tif 000006
【図６】
0003626135.tif 000007
【図７】
0003626135.tif 000008
【図８】
0003626135.tif 000009
【図９】
0003626135.tif 000010
【図１０】
0003626135.tif 000011
【図１１】
0003626135.tif 000012
【図１２】
0003626135.tif 000013
【図１３】
0003626135.tif 000014
【図１４】
0003626135.tif 000015
【図１５】
0003626135.tif 000016
【図１６】
0003626135.tif 000017
【図１７】
0003626135.tif 000018
【図１８】
0003626135.tif 000019
【図１９】
0003626135.tif 000020